(57)【要約】本発明は、クリームタイプ化粧品容器に関するもので、ユーザーがボタン部を加圧時、ボタン部自体の弾性力によってボタン部が下方向へ移動してから復元され、容器本体内部の圧力を変化させて内容物が排出されるように構成されることにより、別途のポンピング部材が存在しなくても簡単な構造を通じて高粘度の内容物を容易に排出することが可能なので、組立時間の短縮はもちろん、製造コストを節減できることが特徴である。【選択図】なし
2016506284.tif 000002
【特許請求の範囲】
【請求項１】
内容物が収容され、内容物の使用によって容積が減少する容器本体（１００）と；
前記容器本体（１００）の上部に結合され、ユーザーの加圧可否によって弾性変形され、ポンピング作動によって、前記容器本体（１００）に収容された内容物を排出させるポンピングガイドキャップ（２００）と；
前記容器本体（１００）の内側で、前記ポンピングガイドキャップ（２００）の下部に内容物が貯蔵される空間を形成して結合され、前記ポンピングガイドキャップ（２００）の弾性変形により、前記容器本体（１００）に収容された内容物を一定量吸入する内容物吸入部（３００）と；を含むことを特徴とするクリームタイプ化粧品容器。
【請求項２】
前期ポンピングガイドキャップ（２００）は、前記ポンピングガイドキャップ（２００）の上端の一側に位置して、ユーザーの加圧可否によって、下方向へ移動してから復元され、前記ポンピングガイドキャップ（２００）と内容物吸入部（３００）が形成する空間の圧力を変化させてポンプ作動をガイドする弾性材質のボタン部（２２０）を含むことを特徴とする請求項１に記載のクリームタイプ化粧品容器。
【請求項３】
前期ポンピングガイドキャップ（２００）は、
前記容器本体（１００）の上部に結合され、ポンピングガイドキャップ（２００）を容器本体（１００）に固定させる結合部（２１０）と；および
前期ポンピングガイドキャップ（２００）の上端の他側に位置し、前記ボタン部（２２０）の操作によって内容物を排出させる内容物排出ホール（２３０）と；をさらに含むことを特徴とする請求項２に記載のクリームタイプ化粧品容器。
【請求項４】
前期内容物排出ホール（２３０）には、前期ボタン部（２２０）の加圧可否によって、前期内容物排出ホール（２３０）を開閉する第１バルブ部材（２３１）が設置されることを特徴とする請求項３に記載のクリームタイプ化粧品容器。
【請求項５】
前期内容物吸入部（３００）は、前記容器本体（１００）に貯蔵された内容物が流入されるように内容物流入ホール（３１０）が形成され、前期内容物流入ホール（３１０）には、前期ボタン部（２２０）の加圧可否によって、前期内容物流入ホール（３１０）を開閉する第２バルブ部材（３１１）が設置されることを特徴とする請求項２に記載のクリームタイプ化粧品容器。
【請求項６】
前期ポンピングガイドキャップ（２００）を覆って、前記容器本体（１００）の上部に結合されるオーバーキャップ（４００）をさらに含むことを特徴とする請求項１に記載のクリームタイプ化粧品容器。
【発明の詳細な説明】
【技術分野】
【０００１】
本発明は、クリームタイプ化粧品容器に関するもので、より詳細には、ユーザーがボタン部を加圧時、ボタン部自体の弾性力によってボタン部が下方向へ移動してから復元され、容器本体内部の圧力を変化させて内容物が排出されるように構成されることにより、別のポンプ部材が存在しなくても簡単な構造を通じて高粘度の内容物を容易に排出することが可能なので、組立時間の短縮はもちろん、製造コストを節減できるクリームタイプ化粧品容器に関するものである。
【背景技術】
【０００２】
一般的に、高粘度クリームが貯蔵されるクリームタイプ化粧品容器は、化粧品容器に収容される内容物と空気の接触を遮断するように構成され、このような真空タイプ化粧品容器が、本出願人が先出願して登録された登録実用新案第２０−０３１１５０３号に開示されている。
【０００３】
前期登録実用新案は、内容物が貯蔵される容器部（１０）と、前記容器部の上端に結合されるディスペンサー（１００）を含み、前記ディスペンサー（１００）は、下端に吸入孔（２２）が形成されて、容器部（１０）の上端に結合されるシリンダ（２０）と、前記シリンダ（２０）の吸入孔（２２）に具備されるバルブ体（３０）と、上端には容器部（１０）の上部をカバーするように拡張されたプレート部（４２）が具備され、反復的なポンピングが可能なように、シリンダ（２０）に具備されるボタン（４０）と、前記シリンダ（２０）の内壁面とボタン（４０）の下端部の間に具備されるピストン（５０）を含めて形成されるディスペンス容器において、前記ボタン（４０）の中央部には、上下方向にスライド孔（４４）が形成されて、前記バルブ体（３０）は、上端部が上部へ延長され、前記ボタン（４０）のスライド孔（４４）にスライド可能に挿入されて、前記バルブ体（３０）の上端には、ボタン（４０）のスライド孔（４４）をカバーするカバー部材（６０）が結合され、前記ボタン（４０）を押すと、ボタン（４０）がバルブ体（３０）の外周面に沿って下降されて、前記カバー部材（６０）とボタン（４０）の間にギャップが発生され、このギャップを通じて内容物が排出されて、ボタン（４０）のプレート部（４２）に積まれるようにされたことを特徴とする。
【０００４】
しかし、前期のような構成で形成された登録実用新案は、容器部（１０）に貯蔵された内容物の排出のために、前記容器部（１０）の上部に、下端に吸入孔（２２）が形成されたシリンダ（２０）を含むディスペンサー（１００）が結合され、複雑な構造のディスペンサー（１００）を通じてポンピング作動が行われる構造であるので、ディスペンサー（１００）を設置するための組立時間の増加はもちろん、製造コストが増加するという問題点があった。
【発明の概要】
【発明が解決しようとする課題】
【０００５】
本発明は、上述した問題点を解決するために案出されたもので、本発明の目的は、ユーザーがボタン部を加圧時、ボタン部自体の弾性力によってボタン部が下方向へ移動してから復元され、容器本体内部の圧力を変化させて内容物が排出されるように構成されることにより、別途のポンピング部材が存在しなくても簡単な構造を通じて高粘度の内容物を容易に排出することが可能なので、組立時間の短縮はもちろん、製造コストを節減できるクリームタイプ化粧品容器を提供することである。
【０００６】
また、内容物吸入部を通じてポンピングガイドキャップと内容物吸入部が形成する空間へ一定量の内容物を吸入して貯蔵することにより、一回ポンピング作動時のたびに、常に定量の内容物を排出することが可能なクリームタイプ化粧品容器を提供することである。
【課題を解決するための手段】
【０００７】
前期のような問題点を解決するために、本発明によるクリームタイプ化粧品容器は、内容物が収容され、その内部に内容物の使用によって上昇するピストン（１１０）が具備される容器本体（１００）と；前記容器本体（１００）の上部に結合され、ユーザーの加圧可否によって弾性変形され、ポンピング作動によって前記容器本体（１００）に収容された内容物を排出させるポンピングガイドキャップ（２００）と；前記容器本体（１００）の内側で前記ポンピングガイドキャップ（２００）の下部に内容物が貯蔵される空間を形成して結合され、前記ポンピングガイドキャップ（２００）の弾性変形によって、前記容器本体（１００）に収容された内容物を一定量吸入する内容物吸入部（３００）と；を含むことを特徴とする。
【０００８】
また、前期ポンピングガイドキャップ（２００）は、前記ポンピングガイドキャップ（２００）の上端一側に位置して、ユーザーの加圧可否によって、下方向へ移動してから復元され、前記ポンピングガイドキャップ（２００）と内容物吸入部（３００）が形成する空間の圧力を変化させてポンピング作動をガイドする弾性材質のボタン部（２２０）を含むことを特徴とする。
【０００９】
また、前期ポンピングガイドキャップ（２００）は、前記容器本体（１００）の上部に結合されてポンピングガイドキャップ（２００）を容器本体（１００）に固定させる結合部（２１０）と；および前記ポンピングガイドキャップ（２００）の上端の他側に位置し、前記ボタン部（２２０）の操作によって内容物を排出させる内容物排出ホール（２３０）と；をさらに含むことを特徴とする。
【００１０】
また、前期内容物排出ホール（２３０）には、前期ボタン部（２２０）の加圧可否によって、前期内容物排出ホール（２３０）を開閉する第１バルブ部材（２３１）が設置されることを特徴とする。
【００１１】
また、前期内容物吸入部（３００）には、前記容器本体（１００）に貯蔵された内容物が流入されるように内容物流入ホール（３１０）が形成され、前期内容物流入ホール（３１０）には、前期ボタン部（２２０）の加圧可否によって、前期内容物流入ホール（３１０）を開閉する第２バルブ部材（３１１）が設置されることを特徴とする。
【００１２】
また、前期ポンピングガイドキャップ（２００）を覆って、前記容器本体（１００）の上部に結合されるオーバーキャップ（４００）をさらに含むことを特徴とする。
【発明の効果】
【００１３】
以上のように、本発明によれば、ユーザーがボタン部を加圧時、ボタン部自体の弾性力によってボタン部が下方向へ移動してから復元され、容器本体内部の圧力を変化させて内容物が排出されるように構成されることにより、別途のポンピング部材が存在しなくても簡単な構造を通じて高粘度の内容物を容易に排出することが可能なので、組立時間の短縮はもちろん、製造コストを節減できる長所がある。
【００１４】
また、内容物吸入部を通じてポンピングガイドキャップと内容物吸入部が形成する空間へ一定量の内容物を吸入して貯蔵することにより、一回ポンピング作動時のたびに、常に定量の内容物を排出することが可能な長所がある。
【図面の簡単な説明】
【００１５】
【図１】本発明の好ましい実施例に係るクリームタイプ化粧品容器の構成を示す分解斜視図である。
【図２】本発明の好ましい実施例に係るクリームタイプ化粧品容器の構成を示す結合斜視図である。
【図３】本発明の好ましい実施例に係るクリームタイプ化粧品容器の構成を示す結合断面図である。
【図４】本発明の好ましい実施例に係るクリームタイプ化粧品容器の作動状態を示す状態図である。
【発明を実施するための形態】
【００１６】
以下、図面を参照して本発明を詳細に説明する。各図面に提示された同一な参照符号は同一な部材を示す。
【００１７】
図１は、本発明の好ましい実施例に係るクリームタイプ化粧品容器の構成を示す分解斜視図であり、図２は、本発明の好ましい実施例に係るクリームタイプ化粧品容器の構成を示す結合斜視図であり、図３は、本発明の好ましい実施例に係るクリームタイプ化粧品容器の構成を示す結合断面図である。
【００１８】
図１〜３に示すように、本発明の好ましい実施例に係るクリームタイプ化粧品容器は、容器本体（１００）、ポンピングガイドキャップ（２００）、内容物吸入部（３００）、オーバーキャップ（４００）が含まれる。
【００１９】
前記容器本体（１００）は、内容物が収容されることとして、その内部には内容物の使用によって上昇するピストン（１１０）が具備される。
【００２０】
前記容器本体（１００）の下端部には、後述するポンピングガイドキャップ（２００）の操作を通じたポンピング作動により、ピストン（１１０）の上昇時に容器本体（１００）の内部へ空気が流入されるように空気流入ホール（１２０）が形成される。
【００２１】
前期ポンピングガイドキャップ（２００）は、前記容器本体（１００）の上部に結合され、容器本体（１００）の上端開口部を閉鎖させることとして、前記容器本体（１００）の上部にポンピングガイドキャップ（２００）を固定させることが可能なように、前記容器本体（１００）の上部に結合される結合部（２１０）が具備される。
【００２２】
本発明において、前記ポンピングガイドキャップ（２００）の上端一側には、ユーザーの加圧可否によって弾性変形され、後述する内容物吸入部（３００）とポンピングガイドキャップ（２００）が形成する空間の圧力を変化させ、内容物吸入部（３００）に吸入された内容物を外部へ排出させるボタン部（２２０）が具備されることが特徴として、前期ボタン部（２２０）は、ユーザーが上端部を加圧時に上面全体が下方向へ移動してから、ユーザーが加圧を解除時に復元され、内容物吸入部（３００）とポンピングガイドキャップ（２００）が形成する空間の圧力を変化させることで、ポンプ作動をガイドすることとなり、ユーザーの加圧可否によって弾性変形されることが可能なように弾性材質で形成される。
【００２３】
一方、前記ポンピングガイドキャップ（２００）の上端の他側には、前記ボタン部（２２０）の操作によるポンピング作動によって内容物が排出されるように内容物排出ホール（２３０）が形成され、前期内容物排出ホール（２３０）には、前期ボタン部（２２０）の加圧可否によって、前期内容物排出ホール（２３０）を開閉する第１バルブ部材（２３１）が設置される。
【００２４】
前期内容物吸入部（３００）は、前記容器本体（１００）の内側で前記ポンピングガイドキャップ（２００）の下部に結合され、前記ポンピングガイドキャップ（２００）のボタン部（２２０）の弾性変形により、前記容器本体（１００）に貯蔵された内容物を一定量吸入することで、容器本体（１００）に貯蔵された内容物を吸入して貯蔵することが可能なようにポンピングガイドキャップ（２００）の下部で、ポンピングガイドキャップ（２００）と一定の間隔で離隔されて内容物が貯蔵される空間を形成して結合される。
【００２５】
また、前期内容物吸入部（３００）には、前記容器本体（１００）に貯蔵された内容物が流入されるように内容物流入ホール（３１０）が形成され、前期内容物流入ホール（３１０）には、前期ボタン部（２２０）の加圧可否によって、前期内容物流入ホール（３１０）を開閉する第２バルブ部材（３１１）が設置される。
【００２６】
前期内容物吸入部（３００）は、容器本体（１００）に収容される内容物を一定量吸入して貯蔵することにより、ボタン部（２２０）の操作によるポンプ作動時、常に一定量の内容物を排出できるようにガイドすることとなる。
【００２７】
前期オーバーキャップ（４００）は、前記ポンピングガイドキャップ（２００）を覆って、前記容器本体（１００）の上部に結合されることとして、ボタン部（２２０）の誤作動を防止して、第１バルブ部材（２３１）が外部の衝撃から破損されることを防止する。
【００２８】
前期オーバーキャップ（４００）の内側上端には、前記ポンピングガイドキャップ（２００）が容器本体（１００）から脱離されるのを防止するように、ポンピングガイドキャップ（２００）の上端を加圧する加圧突起（４１０）が形成される。
【００２９】
以下では、図４を参照して、本発明の好ましい実施例に係るクリームタイプ化粧品容器の作動状態を説明する。図４は、本発明の好ましい実施例に係るクリームタイプ化粧品容器の作動状態を示す状態図である。
【００３０】
図４を参照すると、本発明の好ましい実施例に係るクリームタイプ化粧品容器は、ユーザーがポンピングガイドキャップ（２００）の一側に形成されたボタン部（２２０）を加圧時に弾性材質で形成されるボタン部（２２０）が下方向へ移動することとなり、これによって、ポンピングガイドキャップ（２００）と内容物吸入部（３００）が形成する空間に発生する圧力により、ポンピングガイドキャップ（２００）と内容物吸入部（３００）が形成する空間に貯蔵された内容物がポンピングガイドキャップ（２００）の他側に形成された内容物排出ホール（２３０）を通じてポンピングガイドキャップ（２００）の上面へ排出が行われるようになり、この時、内容物排出ホール（２３０）を閉鎖している第１バルブ部材（２３１）は、内容物の圧力によって内容物排出ホール（２３０）を開放することとなり、第２バルブ部材（３１１）は、内容物流入ホール（３１０）を閉鎖して内容物吸入部（３００）に吸入された内容物が内容物排出ホール（２３０）を通じて排出が行われることになる。
【００３１】
一方、ユーザーがボタン部（２２０）の加圧を解除すると、ボタン部（２２０）が、自体弾性力によって復元され、上方向へ移動することとなり、これによって、ポンピングガイドキャップ（２００）と内容物吸入部（３００）が形成する空間に発生する圧力によって容器本体（１００）に収容された内容物が内容物吸入部（３００）に流入され、このとき、第１バルブ部材（２３１）は、内容物排出ホール（２３０）を閉鎖することとなり、第２バルブ部材（３１１）は、内容物流入ホール（３１０）を開放して、次のポンピング作動時に排出可能な一定量の内容物が内容物流入ホール（３１０）を通じて内容物吸入部（３００）へ流入される。
【００３２】
上記のように、本発明は、ポンピングガイドキャップ（２００）と内容物吸入部（３００）が形成する空間に一定量の内容物を貯蔵するように構成され、ボタン部（２２０）の操作によるポンピング作動時、常に一定量の内容物が排出されることが可能になる。
【００３３】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである
【図１】
2016506284.tif 000003
【図２】
2016506284.tif 000004
【図３】
2016506284.tif 000005
【図４（ａ）】
2016506284.tif 000006
【図４（ｂ）】
2016506284.tif 000007
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
内容物が収容され、内容物の使用によって容積が減少する容器本体（１００）と；
前記容器本体（１００）の上部に結合され、ユーザーの加圧可否によって弾性変形され、ポンピング作動によって、前記容器本体（１００）に収容された内容物を排出させるポンピングガイドキャップ（２００）と；
前記容器本体（１００）の内側で、前記ポンピングガイドキャップ（２００）の下部に内容物が貯蔵される空間を形成して結合され、前記ポンピングガイドキャップ（２００）の弾性変形により、前記容器本体（１００）に収容された内容物を一定量吸入する内容物吸入部（３００）とを含み、
前記ポンピングガイドキャップ（２００）は、前記ポンピングガイドキャップ（２００）の上端の一側に位置して、ユーザーの加圧可否によって、下方向へ移動してから復元され、前記ポンピングガイドキャップ（２００）と内容物吸入部（３００）が形成する空間の圧力を変化させてポンプ作動をガイドする弾性材質のボタン部（２２０）を含むことを特徴とするクリームタイプ化粧品容器。
【請求項２】
前期ポンピングガイドキャップ（２００）は、
前記容器本体（１００）の上部に結合され、ポンピングガイドキャップ（２００）を容器本体（１００）に固定させる結合部（２１０）と；および
前期ポンピングガイドキャップ（２００）の上端の他側に位置し、前記ボタン部（２２０）の操作によって内容物を排出させる内容物排出ホール（２３０）と；をさらに含むことを特徴とする請求項１に記載のクリームタイプ化粧品容器。
【請求項３】
前期内容物排出ホール（２３０）には、前期ボタン部（２２０）の加圧可否によって、前期内容物排出ホール（２３０）を開閉する第１バルブ部材（２３１）が設置されることを特徴とする請求項３に記載のクリームタイプ化粧品容器。
【請求項４】
前期内容物吸入部（３００）は、前記容器本体（１００）に貯蔵された内容物が流入されるように内容物流入ホール（３１０）が形成され、前期内容物流入ホール（３１０）には、前期ボタン部（２２０）の加圧可否によって、前期内容物流入ホール（３１０）を開閉する第２バルブ部材（３１１）が設置されることを特徴とする請求項１に記載のクリームタイプ化粧品容器。
【請求項５】
前期ポンピングガイドキャップ（２００）を覆って、前記容器本体（１００）の上部に結合されるオーバーキャップ（４００）をさらに含むことを特徴とする請求項１に記載のクリームタイプ化粧品容器。
【国際調査報告】
2016506284.tif 000008
2016506284.tif 000009
2016506284.tif 000010
2016506284.tif 000011